(57)【要約】      （修正有）【課題】大便に起因した、おむつ全体の取り替えを、できるだけ少なくする袋状補助具、及びおむつ用補助具を提供する。【解決手段】袋状をなし、袋口１ａに備えられた粘着部１ｂをもっておむつの着用に先立って大便を漏洩なく袋内に受容する状態で着用者Ｍの肛門Ｍａを取り巻く皮膚面に前記袋口１ａを取り付け可能に構成されている。粘着部は、仮想の第一の円と、この第一の円よりも直径を大きくすると共に円の中心を第一の円の中心と実質的に等しくする仮想の第二の円との間の領域であって、前記円の中心を挟んだ一方側において前記第二の円の仮想の接線と第一の円との間にあって前記接線に平行な仮想の直線よりも外側を除いた領域に形成されており、前記第一の円の内側において大便を受容するようにしてなる【選択図】図２
2015016074.tif 000002
【特許請求の範囲】
【請求項１】
袋状をなし、袋口に備えられた粘着部をもっておむつの着用に先立って大便を漏洩なく袋内に受容する状態で着用者の肛門を取り巻く皮膚面に前記袋口を取り付け可能に構成された、袋状補助具。
【請求項２】
粘着部が、仮想の第一の円と、この第一の円よりも直径を大きくすると共に円の中心を第一の円の中心と実質的に等しくする仮想の第二の円との間の領域であって、前記円の中心を挟んだ一方側において前記第二の円の仮想の接線と第一の円との間にあって前記接線に平行な仮想の直線よりも外側を除いた領域に形成されており、
前記第一の円の内側において大便を受容するようにしてなる、請求項１に記載の袋状補助具。
【請求項３】
請求項１又は請求項２に記載の袋状補助具と、
シート状又はマット状をなし、おむつの内面に重ねられて用いられると共に、おむつ着用者の略股下に配される部分に前記袋状補助具の通し部を備えた面状補助具とからなる、おむつ用補助具。
【発明の詳細な説明】
【技術分野】
【０００１】
この発明は、おむつを着用するに先立って当該着用者に装着されて、おむつを着用した状態で大便を排泄しても、おむつの取り替えを直ちには要しないようにする袋状補助具、及び、この袋状補助具を含んで構成されるおむつ用補助具に関する。
【背景技術】
【０００２】
おむつの内面に重ねて用いられるインナーシートに前後方向に亘るスリットを設け、おむつを着用した状態で排泄された大便を前記スリットを通じてインナーシートとおむつの内面との間に受容するようにしたものとして、特許文献１に示されるものがある。
【０００３】
特許文献１のものは、大便を前記インナーシートとおむつの内面との間に受容させることで、おむつの取り替えまでの着用者の不快感を軽減し、また、おむつの取り替えを容易とするものではある。
【０００４】
しかるに、特許文献１のものは、大便を遺漏なく前記インナーシートとおむつの内面との間に受容させるものではなく、また、取り替え時には常におむつ全体の取り替えを要させるものであった。
【０００５】
近年は、使い捨ておむつ（紙おむつ）が普及しているが、特に大人用のものはその大きさなどに起因して低廉に供給し難い。大便の排泄のたびにこの種のおむつ全体の取り替えを余儀なくされることは、介護コストの低廉化を妨げる要因ともなる。
【先行技術文献】
【特許文献】
【０００６】
【特許文献１】特許第５２２５３３９号公報
【発明の概要】
【発明が解決しようとする課題】
【０００７】
この発明が解決しようとする主たる問題点は、大便に起因した、おむつ全体の取り替えを、できるだけ少なくする点にある。
【課題を解決するための手段】
【０００８】
前記課題を達成するために、この発明にあっては、袋状補助具を、袋状をなし、袋口に備えられた粘着部をもっておむつの着用に先立って大便を漏洩なく袋内に受容する状態で着用者の肛門を取り巻く皮膚面に前記袋口を取り付け可能に構成されたものとした。
【０００９】
おむつを着用するに先立ってかかる袋状補助具を前記粘着部を利用して当該着用者に装着させておくことにより、おむつを着用した状態で大便を排泄したときこの袋状補助具に大便を受容させることができる。これにより、おむつを着用した状態で大便を排泄したとき、大便を受容した袋状補助具を交換することで、おむつの取り替えを直ちには要しないようにすることができる。
【００１０】
前記粘着部を、仮想の第一の円と、この第一の円よりも直径を大きくすると共に円の中心を第一の円の中心と実質的に等しくする仮想の第二の円との間の領域であって、前記円の中心を挟んだ一方側において前記第二の円の仮想の接線と第一の円との間にあって前記接線に平行な仮想の直線よりも外側を除いた領域に形成させ、前記第一の円の内側において大便を受容するようにしておくことが、この発明の好ましい態様の一つとされる。
【００１１】
また、前記課題を達成するために、この発明にあっては、おむつ用補助具を、前記袋状補助具と、シート状又はマット状をなし、おむつの内面に重ねられて用いられると共に、おむつ着用者の略股下に配される部分に前記袋状補助具の通し部を備えた面状補助具とからなるものとした。
【００１２】
かかるおむつ用補助具によれば、袋状補助具の袋口以外の箇所を面状補助具とおむつの内面との間に挟ませた状態でおむつ内に位置づけさせることができる。加えて、かかる面状補助具によれば、袋状補助具における袋口以外の箇所がおむつにおける前後の身ごろ部分のうちの、着用者の腰部の腹側を覆う身ごろ部分に位置されるように、おむつ内に袋状補助具を位置づけさせることができる。このようにした場合、着用者が仰向けに寝ている場合に排泄された大便の受容を妨げるようにおむつ内で袋状補助具が着用者の体重によって押しつぶされないようにすることができ、排泄された大便の袋状補助具へのスムースな受容が可能とされる。
【発明の効果】
【００１３】
この発明によれば、おむつを着用した状態で排泄された大便をおむつを汚さないように袋状補助具に受容させることができ、かかる大便に起因した、おむつ全体の取り替えを、できるだけ少なくすることができる。
【図面の簡単な説明】
【００１４】
【図１】図１はこの発明の一実施の形態にかかる袋状補助具の斜視構成図である。
【図２】図２は図１の袋状補助具の袋口を着用者の肛門を巡る皮膚面に取り付けた様子を示した断面構成図である。
【図３】は図１の袋状補助具の袋口の平面構成図である。
【図４】図４はおむつの内面に面状補助具を重ねると共にこの面状補助具とおむつの内面との間に図１の袋状補助具の袋口以外の箇所を挟むようにしたおむつ用補助具の使用状態を、おむつを展開した状態で示した平面構成図である。
【図５】図５は図４におけるＡ−Ａ線位置での端面構成図である。
【発明を実施するための形態】
【００１５】
以下、図１〜図５に基づいて、この発明の典型的な実施の形態について、説明する。この実施の形態にかかる袋状補助具１は、おむつＤを着用するに先立って当該着用者Ｍに装着されるものであって、おむつＤを着用した状態で大便を排泄しても、おむつＤの取り替えを直ちには要しないようにしたものである。すなわち、この実施の形態にかかる袋状補助具１は、大便に起因した、おむつＤの取り替えを、できるだけ少なくするものである。
【００１６】
また、この実施の形態にかかるおむつ用補助具Ｈは、前記袋状補助具１と、この袋状補助具１と組み合わされておむつＤの内面に重ねられて用いられる面状補助具２とからなり、かかる面状補助具２をもって前記袋状補助具１をおむつＤ内に安定的且つ具合良く位置づけることができるようにしたものである。
【００１７】
前記袋状補助具１は、袋状をなし、袋口１ａに備えられた粘着部１ｂをもっておむつＤの着用に先立って大便を漏洩なく袋内に受容する状態で着用者Ｍの肛門Ｍａを取り巻く皮膚面に前記袋口１ａを取り付け可能に構成されている。
【００１８】
おむつＤを着用するに先立ってかかる袋状補助具１を前記粘着部１ｂを利用して当該着用者Ｍに装着させておくことにより、おむつＤを着用した状態で大便を排泄したときこの袋状補助具１に大便を受容させることができる。これにより、おむつＤを着用した状態で大便を排泄したとき、大便を受容した袋状補助具１を交換することで、おむつＤの取り替えを直ちには要しないようにすることができる。
【００１９】
かかる袋状補助具１は、おむつＤとは別個に提供しても、おむつＤと一緒に提供するようにしても構わない。例えば、一つのおむつＤに、袋状補助具１を二以上同梱して、提供しても構わない。また、袋状補助具１は前記面状補助具２と一緒におむつ用補助具Ｈともなるものであり、この場合には袋状補助具１は面状補助具２と一緒におむつ用補助具Ｈとして提供されることとなる。
【００２０】
前記袋状補助具１は、袋口１ａに備えられた粘着部１ｂをもって大便を漏洩なく受容する状態で着用者Ｍの肛門Ｍａを取り巻く皮膚面に前記袋口１ａを取り付け可能に構成されている。かかる袋状補助具１は、受容した大便を漏れ出さない構成のものであれば足りる。かかる袋状補助具１は、公知の防水材製のシートやマット、公知の吸水材製のシートやマット、こうした吸水材の表面を防水材で覆ってなるシートやマットなどを袋状に成形することにより構成される。典型的には、かかる袋状補助具１は、合成樹脂製の薄手の袋体を主体として構成される。
【００２１】
図示の例では、袋状補助具１は、矩形状をなし、その幅方向に沿った一辺を袋口１ａとした袋体の、この袋口１ａの内面に粘着部１ｂを形成させた構成となっている。
【００２２】
図示の例では、前記袋状補助具１の袋口１ａは、これより内径を小さくするリング状体１ｃによって縁取られている。かかるリング状体１ｃは、略円形のフィルム又はシートに円形の貫通孔１ｄを形成させてなる。そして、前記袋状補助具１はその袋口１ａ側をすぼめられて、この袋口１ａの内面をリング状体１ｃの一面に止着させており、これにより袋状補助具１の袋口１ａは、前記リング状体１ｃによって縁取られている。
【００２３】
図示の例では、かかるリング状体１ｃの他面が粘着剤よって覆われた粘着部１ｂとなっており、さらに、この粘着部１ｂは剥離シート１ｅで覆われている。また、かかるリング状体１ｃは、その内側に着用者Ｍの肛門Ｍａを納める大きさとなっている。これにより、図示の例では、かかる剥離シート１ｅを剥がして前記粘着部１ｂを露出させた状態で、前記リング状体１ｃの内側に着用者Ｍの肛門Ｍａが位置されるように前記粘着部１ｂを前記皮膚面に粘着させることで、かかるリング状体１ｃを介してかかる袋状補助具１の袋口１ａを着用者Ｍの肛門Ｍａを取り巻く皮膚面に大便を漏洩させない状態で取り付け可能としている。（図２）かかるリング状体１ｃとしては、例えば、両面テープを用いることができる。
【００２４】
この実施の形態にあっては、前記粘着部１ｂは、仮想の第一の円Ｒ１と、この第一の円Ｒ１よりも直径を大きくすると共に円の中心を第一の円Ｒ１の中心と実質的に等しくする仮想の第二の円Ｒ２との間の領域であって、前記円の中心を挟んだ一方側において前記第二の円Ｒ２の仮想の接線Ｌと第一の円Ｒ１との間にあって前記接線Ｌに平行な仮想の直線Ｌ’よりも外側を除いた領域に形成されている。そして、袋状補助具１は、かかる粘着部１ｂにおける前記第一の円Ｒ１の内側において大便を受容するように構成されている。
【００２５】
かかる粘着部１ｂは、前記第一の円Ｒ１の直径を６０ｍｍ〜８０ｍｍ、好ましくは７０ｍｍとし、
前記第二の円Ｒ２の直径を１３０ｍｍ〜１５０ｍｍ、好ましくは１４０ｍｍとし、
前記仮想の直線Ｌ’と第一の円Ｒ１との間の距離を、１５ｍｍ〜２５ｍｍ、好ましくは２０ｍｍとするように構成する。（図３に袋状補助具１の袋口１ａを略実寸で示す。）
【００２６】
このように構成される粘着部１ｂは、着用者Ｍの肛門Ｍａを取り巻く皮膚面に、前記第一の円Ｒ１の内方に肛門Ｍａを位置させるようにして、都合良く粘着させることができる。
【００２７】
また、粘着部１ｂは、前記仮想の直線Ｌ’の外側を除いた領域に形成されていることから、粘着部１ｂは、着用者Ｍの陰部側が前記仮想の直線Ｌ’の外側に位置される向きで、この粘着部１ｂがかかる陰部に触れないようにした態様で着用者Ｍの肛門Ｍａを取り巻く皮膚面に確実に粘着させることができる。
【００２８】
このように構成される袋状補助具１を前記粘着部１ｂを利用しておむつＤの着用者Ｍに装着させた後、当該着用者ＭにおむつＤを着用させる。
【００２９】
図４及び図５は、以上に説明した袋状補助具１と組み合わされておむつ用補助具Ｈを構成する面状補助具２を使って、かかる袋状補助具１をおむつＤ内に位置づけさせるようにした例を示している。
【００３０】
かかる面状補助具２は、シート状又はマット状をなし、おむつＤの内面Ｄｃに重ねられて用いられると共に、おむつＤの着用者Ｍの略股下に配される部分に前記袋状補助具１の通し部２ａを備えている。
【００３１】
図示の例では、おむつＤは、使い捨ておむつＤの、テープタイプのものとなっている。図示の例では、おむつＤは、おむつＤの着用者Ｍの略股下に配される部分（以下、この部分を股下部分Ｄａと称する。）と、この股下部分Ｄａを挟んだ前後にそれぞれ身ごろ部分Ｄｂ、Ｄｂ’を備えている。かかるおむつＤは、基本的には、おむつＤの外面Ｄｄを構成する表面材と、おむつＤの内面Ｄｃを構成する表面材との間に、公知の吸収材を介装させてなる。、図示の例では、図４において股下部分Ｄａを挟んだ上側に位置される身ごろ部分Ｄｂの左右にそれぞれテープＤｅが設けられている。かかるおむつＤは、前記股下部分Ｄａを着用者Ｍの股下にあてがった状態から、典型的には、図４の上側に位置される身ごろ部分Ｄｂが着用者Ｍの腰部の背側を覆い、かつ、図４の下側に位置される身ごろ部分Ｄｂ’が着用者Ｍの腰部の腹側を覆うようにした上で、後者の身ごろ部分Ｄｂ’のおむつＤの外面Ｄｄに設けた前記テープＤｅの被係合部（図示は省略する。）に前記テープＤｅを係合させることにより、着用させることができるようになっている。
【００３２】
面状補助具２は、おむつＤにおける前記股下部分Ｄａを挟んだ前後の身ごろ部分Ｄｂ、Ｄｂ’の一方の着用者Ｍの腰を巡る縁部と、この前後の身ごろ部分Ｄｂ、Ｄｂ’の他方の着用者Ｍの腰を巡る縁部との間の距離よりもやや小さい長さと、おむつＤにおける前記股下部分Ｄａの幅よりもやや小さい幅とを備えた、幅広の帯状を呈している。
【００３３】
面状補助具２は、公知の吸水材製の柔軟性を持ったシートやマットから、あるいは、これらのシートやマットを主体として構成することが好ましい。このようにした場合、面状補助具２によって尿の吸収をなすことができ、この面状補助具２と袋状補助具１とによっておむつＤの取り替えの回数を効果的に減少させることができる。
【００３４】
図示の例では、面状補助具２は、マット状の吸水材２ｃの表裏をそれぞれ水分を通すシート２ｄで覆ってなる。また、面状補助具２は、その長さ方向略中程の位置に、幅方向に長いスリット２ｂを備えている。このスリット２ｂに袋状補助具１を、面状補助具２における着用者Ｍの皮膚に接する内面２ｅ側から袋底部１ｆを先にして、袋口１ａをこの内面２ｅ側に残した状態で、挿通できるようなっている。すなわち、面状補助具２と袋状補助具１とは、面状補助具２の内面２ｅに袋状補助具１の粘着部１ｂを位置させると共に、袋状補助具１のその余の箇所を面状補助具２の外面２ｆ（面状補助具２におけるおむつＤの内面Ｄｃに接する側の面）側に位置させた状態で、組み合わせることができるようになっている。このように面状補助具２と組み合わされた袋状補助具１をその粘着部１ｂをもっておむつＤの着用者Ｍに装着させた後、おむつＤの内面Ｄｃ上に面状補助具２を重ね合わせるようにして、おむつＤの着用がなされる。袋状補助具１の袋口１ａ以外の箇所は面状補助具２とおむつＤの内面Ｄｃとの間に挟まれた状態でおむつＤ内に位置づけられる。面状補助具２によれば、袋状補助具１における袋口１ａ以外の箇所がおむつＤにおける前後の身ごろ部分Ｄｂ、Ｄｂ’のうちの、着用者Ｍの腰部の腹側を覆う身ごろ部分Ｄｂ’に位置されるように、おむつＤ内に袋状補助具１を位置づけさせることができる。このようにした場合、着用者Ｍが仰向けに寝ている場合に排泄された大便の受容を妨げるようにおむつＤ内で袋状補助具１が着用者Ｍの体重によって押しつぶされないようにすることができ、排泄された大便の袋状補助具１へのスムースな受容が可能とされる。
【符号の説明】
【００３５】
Ｄ  おむつ
Ｍ  着用者
Ｍａ  肛門
１ａ  袋口
１ｂ  粘着部
【図１】
2015016074.tif 000003
【図２】
2015016074.tif 000004
【図３】
2015016074.tif 000005
【図４】
2015016074.tif 000006
【図５】
2015016074.tif 000007